(57)【要約】【課題】 配電線停電区間に接続される短絡接地器具の有無を簡易に且つ高精度に判別することを可能とする接地短絡判別装置を提供する。【解決手段】  接地短絡判別装置は、配電線路を短絡させる短絡線を有する短絡接地器具であって、一の地点及び他の地点に各々配置された短絡接地器具の取り外し状況を判別するための接地短絡判別装置において、前記一の地点で、少なくとも１つの配電線路に対して、交流電圧を印加して電流を送信する送信手段と、前記一の地点で、他の一又は複数の配電線路に流れる電流を受信する受信手段と、前記受信手段により受信された電流に基づいて、前記他の地点における前記短絡接地器具の取り外し状況を判別する判別手段と、を備える。【選択図】図１
2018155681.tif 000002
【特許請求の範囲】
【請求項１】
配電線路を短絡させる短絡線を有する短絡接地器具であって、一の地点及び他の地点に各々配置された短絡接地器具の取り外し状況を判別するための接地短絡判別装置において、
前記一の地点で、少なくとも１つの配電線路に対して、交流電圧を印加して電流を送信する送信手段と、
前記一の地点で、他の一又は複数の配電線路に流れる電流を受信する受信手段と、
前記受信手段により受信された電流に基づいて、前記他の地点における前記短絡接地器具の取り外し状況を判別する判別手段と、
を備えることを特徴とする
接地短絡判別装置。
【請求項２】
請求項1に記載の接地短絡判別装置において、
前記判別手段が、前記受信手段により受信された電流からインピーダンスを検出し、当該インピーダンスに基づいて、前記他の地点における前記短絡接地器具の取り外し状況を判別することを特徴とする
接地短絡判別装置。  
【請求項３】
請求項1又は請求項２に記載の接地短絡判別装置において、
前記送信手段が、１kＨz〜３０kＨzの交流電圧を印加して電流を送信することを特徴とする
接地短絡判別装置。
【請求項４】
請求項1〜３のいずれかに記載の接地短絡判別装置において、
前記送信手段が、１kＨz〜１０kＨzの交流電圧を印加して電流を送信し、
前記判別手段が、前記他の地点における前記短絡接地器具の取り外し状況が判別できない場合には、前記送信手段により、さらに１０kＨz〜３０kＨzの交流電圧を印加する制御を行う判別制御部を備えることを特徴とする
接地短絡判別装置。  
【請求項５】
請求項1〜４のいずれかに記載の接地短絡判別装置において、
前記送信手段が、複数の前記配電線路に対して、前記交流電圧を同時に印加して電流を送信することを特徴とする
接地短絡判別装置。  
【発明の詳細な説明】
【技術分野】
【０００１】
本発明は、配電線停電区間に接続された短絡接地器具の取り外し状況を判別する接地短絡判別装置に関し、特に、外部環境の影響を抑えて、確実に短絡接地器具の取り外し状況を判別可能な接地短絡判別装置に関する。
【背景技術】
【０００２】
高圧配電線において、バイパス工事等の工事を行う際に、作業している工事区間が誤って充電した場合の作業者の安全確保を目的に、工事区間内に接地を付けるための短絡接地器具が、高圧配電線に接続されて利用されている。この短絡接地器具は、一時的に接続される器具であり、工事後には、作業者によって取り外される。
【０００３】
しかし、工事後に、短絡接地器具を取り外すことを作業者が忘れて、配電線路に接続されたままに置かれる場合があり、このような場合には、短絡接地器具が配電線路に接続されたままの状態で、送電が再開されることによって、地絡・短絡事故や、波及事故（変電所の同一フィーダー全ての需要家の停電）の原因となり重大な問題となっている。このような短絡接地器具の外し忘れが起こる原因としては、作業者の目視点検という人為的確認作業に依存していることが大きな要因となっている。
【０００４】
このような工事後の短絡接地器具の外し忘れを未然に防ぐために、様々な対策が検討されている。
【０００５】
例えば、対地間に交流電圧を印加し、対地間で電流を検出するという方法がある。これは、短絡接地器具を一括接地している接地線に、交流電圧を生成する送信器と導体に非接触で交流電圧を印加するＣＴにより、短絡接地器具の接地線を介して対地間に交流電圧を印加し、非接触電流センサと表示機能をもつ受信器により、対地間に流れる電流を検出する方法である。
【０００６】
しかし、この方法では、停電区間内の柱上変圧器の静電容量及び配電線の対地静電容量の影響を受け、対地間で検出された電流を正確に判定できない。さらに、大地の抵抗は、地質、季節、天候による変動があるため、閾値を設定できないことから、大地抵抗を用いての判定は困難となっている。
【０００７】
この他にも、短絡接地器具の接地線を大地から浮かせることによって、電線‐大地間でメガーリングを実施することも考えられなくもないが、短絡接地器具を大地から浮かせることは、停電作業終了時に実施する動作であって、労働安全規則にも反するものであり、安全面を考慮すれば現実的ではない。
【０００８】
また、接地抵抗を測定することも考えられるが（例えば、特許文献１及び２参照）、停電区間内の柱上変圧器の静電容量及び配電線の対地静電容量の影響を受けてしまい、正確に接地抵抗を測定できない。また、大地抵抗は地質により大きく異なることから、閾値を設定できずに、所望とする判定が困難となる。
【０００９】
このようなことから、配電線停電区間に接続される短絡接地器具の工事後の外し忘れを防ぎ、短絡接地器具が配電線路に接続されたまま送電を再開することによる地絡・短絡事故、及び波及事故の発生を防止できる接地短絡判別装置の実現が望まれている。
【００１０】
このような従来の接地短絡判別装置としては、作業終了後に短絡接地器具を外し忘れた場合に警報を発する短絡接地器具があり、例えば、受電設備を構成する電力線と接地線との間に接続される短絡接地器具であって、前記電力線と着脱する接続具を有した複数本の電力線用短絡部と、前記接地線と着脱する接地金具を有し前記各電力線用短絡部と導通した接地部と、を備え、 発光部、又は鳴動部から成る警報手段と、該警報手段に電力を供給する電源と、を備えたことを特徴とする短絡接地器具がある（特許文献３参照）。
【先行技術文献】
【特許文献】
【００１１】
【特許文献１】特開２００１−２４２２０６号公報
【特許文献２】特開２００８−３９４２６号公報
【特許文献３】特開２００８−１３０２９７号公報
【発明の概要】
【発明が解決しようとする課題】
【００１２】
しかし、従来の接地短絡判別装置は、例えば、上記特許文献３のように、短絡接地器具が外し忘れられた場合に警報を発する短絡接地器具もあるが、停電区間は一般には長距離にわたることから、多くの個数の警報手段が必要となり、その結果、警報によって特定される場所が不明確となり、警報が発せられたとしても該当する場所の特定が困難となる。さらに、１箇所でも当該短絡接地器具以外の短絡接地器具で作業接地されている場合には、警報手段の無い箇所が存在することから、十分に効果を発揮できない。さらに、確認点から遠隔地にある他点における短絡接地器具の存在の有無については、検出する方法が無い。
【００１３】
このように、従来の接地短絡判別装置では、停電区間内の複数の短絡接地器具の有無を判別する際に、接地抵抗の影響や、柱上変圧器の一次巻線‐二次巻線間及び外装間の静電容量、配電線の対地静電容量等の外部環境の影響を受けるものにとどまっており、正確に接地短絡判別ができるものはこれまでのところ見当たらない。
【００１４】
本発明は、前記課題を解消するためになされたものであり、配電線停電区間に接続される短絡接地器具の有無を簡易に且つ高精度に判別することを可能とする接地短絡判別装置を提供することを目的とする。
【課題を解決するための手段】
【００１５】
本発明者は、鋭意研究の結果、他点（確認点以外）の短絡接地器具の有無を、接地抵抗及び柱上変圧器に影響されることなく判別できる手法を見出し、短絡接地器具の有無を確実に判別できる新しいタイプの優れた接地短絡判別装置を導き出した。
【００１６】
すなわち、本願に開示する接地短絡判別装置は、配電線路を短絡させる短絡線を有する短絡接地器具であって、一の地点及び他の地点に各々配置された短絡接地器具の取り外し状況を判別するための接地短絡判別装置において、前記一の地点で、少なくとも１つの配電線路に対して、交流電圧を印加して電流を送信する送信手段と、前記一の地点で、他の一又は複数の配電線路に流れる電流を受信する受信手段と、前記受信手段により受信された電流に基づいて、前記他の地点における前記短絡接地器具の取り外し状況を判別する判別手段と、を備えるものである。
【００１７】
このように、前記一の地点で、送信手段が交流電圧を印加して電流を送信し、前記受信手段により受信された電流に基づいて、判別手段が、前記他の地点における前記短絡接地器具の取り外し状況を判別することから、接地抵抗の影響を受けずに、柱上変圧器の巻線のインダクタンス、一次巻線‐二次巻線間及び外装間の静電容量、配電線の対地静電容量の影響を抑えて、高い精度で、前記他の地点における前記短絡接地器具の取り外し状況を判別することができる。
【００１８】
また、本願に開示する接地短絡判別装置は、必要に応じて、前記判別手段が、前記受信手段により受信された電流からインピーダンスを算出し、当該インピーダンスに基づいて、前記他の地点における前記短絡接地器具の取り外し状況を判別するものである。このように、前記判別手段が、前記一の地点以外に短絡接地器具が存在しているか否かを、前記受信手段により受信された電流から算出したインピーダンスに基づいて判別することから、接地抵抗の影響を受けることなく前記短絡接地器具の取り外し状況を正確に判別できることとなり、より高い精度で、前記他の地点における前記短絡接地器具の取り外し状況を判別することができる。
【００１９】
また、本願に開示する接地短絡判別装置は、必要に応じて、前記送信手段が、１kＨz〜３０kＨzの交流電圧を印加して電流を送信するものである。このように、前記送信手段による交流電圧の周波数が１kＨz〜３０kＨzであることから、前記受信手段が、最適に、外部のインダクタンスの影響及び静電容量の影響が抑制された電流を受信できることとなり、前記判別手段によって、さらに高い精度で、前記他の地点における前記短絡接地器具の取り外し状況を判別することができる。
【００２０】
また、本願に開示する接地短絡判別装置は、必要に応じて、前記送信手段が、１kＨz〜１０kＨzの交流電圧を印加して電流を送信し、前記判別手段が、前記他の地点における前記短絡接地器具の取り外し状況が判別できない場合には、前記送信手段により、さらに１０kＨz〜３０kＨzの交流電圧を印加する制御を行う判別制御部を備えるものである。このように、先ずは前記判別手段がより変化量を検知し易い（判別し易い）周波数１kＨz〜１０kＨzの交流電圧の印加によって、確度の高い判別が行われ、当該判別ができない場合であっても、周波数１０kＨz〜３０kＨzの交流電圧によって追加で判別ができることとなり、より確実に、前記他の地点における前記短絡接地器具の取り外し状況を判別することができる。
【００２１】
また、本願に開示する接地短絡判別装置は、必要に応じて、前記送信手段が、複数の前記配電線路に対して、前記交流電圧を同時に印加して電流を送信するものである。このように、複数の前記配電線路に同時に電流を送信することから、前記配電線路の各々１つごとに電流を送信する場合よりも、作業負担が抑えられ、時間的にもより効率的で且つ正確に判別を行うことができる。
【図面の簡単な説明】
【００２２】
【図１】本発明の第１の実施形態に係る接地短絡判別装置の構成図を示す。
【図２】本発明の第１の実施形態に係る接地短絡判別装置の構成図を示す。
【図３】本発明の第１の実施形態に係る接地短絡判別装置において、短絡接地器具の短絡線から配電線路の線間に交流電圧を印加した際に流れる電流の電流経路（矢印a）を説明する説明図を示す。
【図４】本発明の第１の実施形態に係る接地短絡判別装置において、配電線路の線間に交流電圧を印加する場合の等価回路を示す。
【図５】本発明の第１の実施形態に係る接地短絡判別装置において、複数の柱上変圧器の一次巻線のインダクタンスの周波数特性の結果を示す。
【図６】本発明の第１の実施形態に係る接地短絡判別装置において、柱上変圧器の一次巻線のインダクタンスのインピーダンス換算値と柱上変圧器の一次巻線のインピーダンス実測値の比較結果を示す。
【図７】本発明の第１の実施形態に係る接地短絡判別装置が送信器及び受信器から構成された構成図を示す。
【図８】本発明の第１の実施形態に係る接地短絡判別装置が送信器、受信器、及び無線器から構成された構成図を示す。
【図９】本発明の第２の実施形態に係る接地短絡判別装置の構成図を示す。
【発明を実施するための形態】
【００２３】
（第１の実施形態）
本願の第１の実施形態に係る接地短絡判別装置を、図１の構成図に従い説明する。
【００２４】
第１の実施形態に係る接地短絡判別装置は、図１に示すように、配電線路１００を短絡させる短絡線２０１を有する短絡接地器具２００であって、一の地点及び他の地点に各々配置された短絡接地器具２００の取り外し状況を判別するための接地短絡判別装置であって、この一の地点で、少なくとも１つの配電線路１００に対して、交流電圧を印加して電流を送信する送信手段１と、この一の地点で、他の一又は複数の配電線路１００に流れる電流を受信する受信手段２と、この受信手段２により受信された電流に基づいて、この他の地点におけるこの短絡接地器具２００の取り外し状況を判別する判別手段３と、を備える構成である。
【００２５】
この送信手段１は、この一の地点で、少なくとも１つの配電線路１００に対して、交流電圧を印加して電流を送信する。この送信手段１は、図１に示すように、短絡線２０１に対して変流器（ＣＴ）１１を用いて接続することによって、非接触で接続することができる。この送信手段１は、この短絡線２０１に対して接続することの他にも、配電線路１００に対してＣＴを用いて接続することによっても、非接触で接続することができる。
【００２６】
この一の地点とは、配電線停電作業後に、配電線停電区間内に接続された最後の短絡接地器具２００を取り外す地点であり、確認点とも言う。また、この他の地点とは、この確認点以外の地点であって、１箇所である場合も含まれ、また複数箇所である場合も含まれるが、配電線停電作業中には、短絡接地器具２００が取り付けられていた地点であり、本来であれば、配電線停電作業後には、短絡接地器具２００が取り外されている地点である。
【００２７】
この送信手段１が印加する交流電圧の周波数は、特に限定されないが、好ましくは、周波数１kＨz〜３０kＨzである。この理由としては、１kＨzよりも低周波の場合には、インダクタンスの影響を受け易くなるうえ、交流電圧の重畳が困難な傾向となる一方で、３０kＨzよりも高周波の場合には、静電容量の影響を受け易い傾向となるためである。
【００２８】
さらに好ましくは、周波数１kＨz〜１０kＨzである。この場合には、判別手段３が、受信手段２により受信された電流から検出されるインピーダンス等の特性が、この他の地点の有無（確認点以外で短絡接地器具２００が取り外されているか否か）によって違いが顕著に現れることとなり、他の地点における短絡接地器具２００の取り外し状況を、より正確に判別することが可能となる。
【００２９】
この受信手段２は、他の一又は複数の配電線路１００に流れる電流を受信する。この受信手段２は、図１に示すように、送信手段１が交流電圧を印加した短絡線２０１とは異なる他の短絡線２０１に対して、変流器（ＣＴ）２１を用いて接続することによって、非接触でこの短絡線２０１に接続することができる。この受信手段２は、この短絡線２０１に対して接続することの他にも、送信手段１が交流電圧を印加した配電線路１００とは異なる他の配電線路１００に対して、ＣＴを用いて接続することによって、非接触でこの配電線路１００に接続することができる。
【００３０】
この判別手段３において、他の地点における短絡接地器具２００の取り外し状況を判別するとは、配電線停電作業後に、配電線停電区間内の上述の確認点以外の他点に接続される短絡接地器具２００の有無を判定することを意味し、接地短絡判別とも言う。
【００３１】
この判別手段３は、その接地短絡判別に際しては、受信手段２により受信された電流を利用するものであれば特に限定されないが、接地短絡判別の正確性の観点から、受信手段２により受信された電流からインピーダンス(導体抵抗)を検出し、このインピーダンスに基づいて、前記他の地点における短絡接地器具２００の取り外し状況を判別することが好ましい。
【００３２】
すなわち、この判別手段３は、図２に示すように、受信手段２により受信された電流からインピーダンスを検出するインピーダンス検出部３１と、このインピーダンスに基づいて、前記他の地点における短絡接地器具２００の取り外し状況を判別する判別部３２と、を備える構成とすることができる。
【００３３】
このように、短絡接地器具２００の短絡線２０１から配電線路の線間に交流電圧を印加し、流れる電流を検出するという簡素な構成によって、正確に接地短絡判別を行うことができる。この流れる電流の電流経路については、図３に示すように、確認点A以外に短絡接地箇所が無い場合（すなわち、短絡接地箇所1箇所の場合）には、図３（a）の矢印ａに示す電流経路となり、また、確認点A以外にも短絡接地箇所Bが残っている場合（すなわち、短絡接地箇所２箇所の場合）には、図３（ｂ）の矢印ａに示す電流経路となり、流れる電流の特性（例えば、インピーダンス）には隔絶たる違いが有ることから、判別手段３が、短絡接地箇所が１箇所か、又は複数かの接地短絡判別を行うことが容易に可能となる。このような構成によって、受信手段２が受信する電流には、接地抵抗が無視できると共に、柱上変圧器の静電容量の影響も抑制できることから、判別手段３は、高い精度で、確実に接地短絡判別を行うことができる。
【００３４】
このように、この判別手段３が、前記一の地点（確認点）以外に短絡接地器具２００が存在しているか否かを、この受信手段２が受信した電流から算出したインピーダンスに基づいて判別することから、接地抵抗の影響を受けることなく短絡接地器具２００の取り外し状況を正確に判別できることとなり、より高い精度で、前記他の地点における短絡接地器具２００の取り外し状況を判別することができる。
【００３５】
次に、上記のように配電線路１００の線間に交流電圧を印加する場合の等価回路を図４に示す。先ず、線間に交流電圧を印加した場合に柱上変圧器を介して構成される経路は、図４（a）で示される。ここで、Z1及びZ2は、巻線のインピーダンスを示し、Cmは、一次巻線‐二次巻線間の静電容量を示す。また、図中では、対地間の経路は構成されないため、巻線‐外装間の静電容量は省略している。また、図中の閉回路のCm及びZ2を通る経路については、Cm=100〜200[pF]と小さく、共振周波数は一般に1MHzを超えることから、Cm・Z2・Cm直列回路のインピーダンスについては、Z1に対して十分に大きいため無視することができることから、Z1のみを通る経路とみなすことができる。
【００３６】
この図４（a）を元にして、複数の柱上変圧器が配電線路に接続される状況で線間に交流電圧を印加した場合に構成される回路を、図４（ｂ）及び（ｃ）に示す。
【００３７】
先ず、短絡接地箇所１箇所の場合に、配電線路１００の線間に交流電圧を印加することにより構成される回路を図４（ｂ）に示す。ここで、Cは、相間容量を示しており、L1〜Lｎは、変圧器の一次巻線のインダクタンスを示している。なお、本発明の適用条件における一次巻線のインピーダンスは、後述の図６の測定結果でも分かるように、インダクタンスの影響が支配的であることから、L1〜Lｎとして表記している。
【００３８】
次に、短絡接地箇所２箇所の場合に、線間に交流電圧を印加することにより構成される回路を図４（ｃ）に示す。図中、rは、導体抵抗を示している。すなわち、確認点以外に短絡接地器具２００が接続される場合、回路のインピーダンスは導体抵抗のみとなる。
【００３９】
配電線路１００の線間容量Cmについては、以下の関係式が成立する。
【式１】
【００４０】
2018155681.tif 000003
（r：導体半径[m]、D：配電線の線間距離[m]）
【００４１】
ここで、高圧架空配電線は、OE、OCの直径4mm以上(銅線38mm2以上、アルミ線32mm2以上が標準)と規定されている（電技解釈第65条、66条）ことから、上記の式に適用して、Cm=14.19[nF/km]と導き出せる。また、最大導体抵抗については、OE、OC：0.502Ω/km(38mm2)、ACSR-OC、ACSR-OE：0.928Ω/km(38mm2)となる。
【００４２】
このように、回路の合成インピーダンスが、図４（ｂ）と図４（ｃ）の回路では大きな違いが生じることから、判別手段３は、図４（ｂ）に示す回路の合成インピーダンスが図４（ｃ）に示す回路の合成インピーダンスより大きい範囲で、接地抵抗の影響を無視して、接地短絡判別を行うことが簡易に可能となる。
【００４３】
また、柱上変圧器の一次巻線のインダクタンスによるインピーダンスは、柱上変圧器の台数に応じて小さくなるが、インダクタンスによるインピーダンスは周波数に比例して大きくなるため、送信手段１が印加する交流電圧の周波数を高く設定することでインピーダンスを大きくすることが可能となる。巻線のインダクタンスには周波数特性があるため、周波数特性を解析して最適な周波数に設定することが、接地短絡判別を行うに際して重要となるが、上述したように、送信手段１が印加する交流電圧は、周波数１kＨz〜３０kＨzであることが好ましく、さらに好ましくは、周波数１kＨz〜１０kＨzである。
【００４４】
巻線のインダクタンスは周波数により特性が変化するため、柱上変圧器の一次巻線のインダクタンスの周波数特性を解析した。複数の柱上変圧器（容量：５ｋＶＡ、１０ｋＶＡ、２０ｋＶＡ、３０ｋＶＡ）の各々について得られた柱上変圧器の一次巻線のインダクタンスの周波数特性をグラフ化したものを図５に示す。いずれの柱上変圧器についても、定性的に同じ傾向の結果が得られた。
【００４５】
さらに、柱上変圧器の一次巻線のインダクタンスのインピーダンス換算値と柱上変圧器の一次巻線のインピーダンス実測値の比較結果を図６に示す。得られた結果から、インダクタンスの影響が支配的であることが確認された。
【００４６】
さらに、インダクタンスの周波数特性を元にして、上述の図４（ａ）及び（ｂ）に示した回路の周波数ごとの合成インピーダンスを算出した。得られた結果を、周波数ごとのインピーダンスの変化として、表１及び表２に示す。
【００４７】
なお、表１及び表２には、次の略称を用いる。
Ln：柱上変圧器の一次巻線のインダクタンス
Z：一次巻線のインピーダンス
C：配電線の線間容量
Zc：配電線の線間容量によるインピーダンス
Zcl：線間の合成インピーダンス
【００４８】
（１）周波数ごとのインピーダンスの変化(30m間隔で柱上変圧器が設置された場合)
【表１】
2018155681.tif 000004
【００４９】
（２）周波数ごとのインピーダンスの変化(100m間隔で柱上変圧器が設置された場合)
【表２】
2018155681.tif 000005
【００５０】
上記の線間の合成インピーダンス（Zcl）値が、上述の図４（ｂ）の回路（短絡接地２箇所の回路）で示された導体抵抗（ｒ）よりも大きい範囲内であれば、確認点以外での前記他の地点で短絡接地器具２００が接続されている状態か否かが判別できることから、確認点以外での前記他の地点における短絡接地器具２００の取り外し状況の有無について、接地短絡判定が可能となる。
【００５１】
上記の得られた結果から、導体抵抗がOE、OC：0.502Ω/km、ACSR-OC、ACSR-OE：0.928Ω/kmであること、及び、接地抵抗が無視できることを考慮すると、送信手段１が印加する交流電圧の周波数として、１kＨz〜３０kＨzのものを使用することによって、停電区間3km且つ、柱上変圧器設置数100台という大規模な設備に対しても、簡易に接地短絡判別を行うことができることから、好ましいことが確認された。
【００５２】
さらに、送信手段１が、この範囲内のうち特に周波数１kＨz〜１０kＨzの周波数を使用することによって、図５の縦軸のインダクタンス値が１前後若しくは１より高値となっており、大規模な設備に対しても、より明確に接地短絡判別を行うことができることから、より好ましいことも確認された。
【００５３】
なお、本実施形態に係る接地短絡判別装置は、図７（ａ）に示すように、送信手段１から成る送信器１０と、受信手段２及び判別手段３から成る受信器２０とから構成することも可能であり、この送信器１０と受信器２０によって、持ち運びも自在となることから、各配電線路１００に対して簡易な判定が非接触で可能となる。また、この受信器２０が、判別手段３での判別の結果をLED表示する機能や、ブザーによるアラーム機能を備えることによって、利用者に対して判別結果が分かりやすく示されることとなり、より使い勝手のよい接地短絡判別装置が得られる。
【００５４】
また、送信手段１は、１つの配電線路１００に対してのみならず、複数の配電線路１００に対して、前記交流電圧を同時に印加して電流を送信することができ、また、受信手段２も、１つの配電線路１００に対してのみならず、複数の配電線路１００から電流を受信することができる。例えば、複数のこの送信器１０及び／又はこの受信器２０を備えることによって、図７（ｂ）に示すように、複数の前記変流器１１と、複数の前記変流器２１とから構成することもでき、複数の配電線路１００に対して効率的に、接地短絡判別を行うことができる。
【００５５】
このような構成により、複数の配電線路１００に対して各々１つごとに電流を送信する場合及び／または受信する場合よりも、作業負担が抑えられ、時間的にもより効率的で、限られた停電作業時間における作業性がよく、且つ正確な接地短絡判別を行うことができる。
【００５６】
さらに、本実施形態に係る接地短絡判別装置は、この送信器１０及び／又はこの受信器２０に対して無線で通信する無線器３０を追加で構成することも可能である。例えば、図８（ａ）に示すように、この無線器３０が、この受信器２０と無線通信し、この判別手段３による判別の結果をLED表示する機能を有する無線受信器として機能することができ、利用者の手元で接地短絡判別の結果を視覚的及び／又は聴覚的に確認することができ、より利便性が向上される。
【００５７】
さらに、例えば、図８（ｂ）に示すように、この無線器３０が、この送信器１０及びこの受信器２０と無線通信し、この判別手段３での判別の結果をLED表示する機能を有する無線受信器及び無線送信器として機能することができ、利用者の手元で、送信手段１での電圧印加を制御（電流送信を指示）することと共に、この判別手段３による接地短絡判別の結果を確認することができ、より利便性が向上されたものとなる。
【００５８】
（第２の実施形態）
本願の第２の実施形態に係る接地短絡判別装置を、図９の構成図に従い説明する。
【００５９】
第２の実施形態に係る接地短絡判別装置は、前記第１の実施形態に係る接地短絡判別装置と同じく、前記送信手段１と、前記受信手段２と、前記判別手段３と、を備え、さらに、図８に示すように、前記送信手段１が、１kＨz〜１０kＨzの交流電圧を印加して電流を送信し、前記判別手段３が、前記他の地点における短絡接地器具２００の取り外し状況が判別できない場合には、前記送信手段１により、さらに１０kＨz〜３０kＨzの交流電圧を印加する制御を行う判別制御部３３を備える構成である。
【００６０】
この構成により、先ずは、上述の図５、表１、及び表２で示されたように、判別手段３がよりインピーダンスの変化量を検知し易い（判別し易い）周波数１kＨz〜１０kＨzの交流電圧の印加を行うことによって、確度の高い判別が行われる。この判別ができない場合であっても、次に、送信手段１が、周波数１０kＨz〜３０kＨzの交流電圧を印加して電流を送信し、追加で判別ができることとなり、より確実に、前記他の地点における前記短絡接地器具２００の取り外し状況を判別することができる。
【符号の説明】
【００６１】
１  送信手段
１０  送信器
１１  変流器（ＣＴ）
２  受信手段
２０  受信器
２１  変流器（ＣＴ）
３  判別手段
３０  無線器
３１  インピーダンス検出部
３２  判別部
３３  判別制御部
１００  配電線路
２００  短絡接地器具
２０１  短絡線
【図１】
2018155681.tif 000006
【図２】
2018155681.tif 000007
【図３】
2018155681.tif 000008
【図４】
2018155681.tif 000009
【図５】
2018155681.tif 000010
【図６】
2018155681.tif 000011
【図７】
2018155681.tif 000012
【図８】
2018155681.tif 000013
【図９】
2018155681.tif 000014